(57)【要約】【課題】複数の利用者でカラオケ装置を利用する場合に、利用者全体の歌唱傾向に応じて楽曲の演奏時間の短縮を可能とするカラオケ装置を提供する。【解決手段】通常演奏モード及び短縮演奏モードを有する演奏処理部、カラオケ演奏が途中で中止された場合、カラオケ演奏が中止されたことを示す演奏中止情報を記憶部に記憶させる情報処理部、複数の利用者によるカラオケ装置の利用時に、所定数以上の楽曲がカラオケ演奏された後、新たな楽曲の予約があった場合に、記憶されている演奏中止情報が所定の条件を満たすかどうかを判定する判定部、演奏中止情報が所定の条件を満たす場合、短縮演奏モードに設定して新たな楽曲の予約を行う予約部、を有するカラオケ装置。【選択図】図２
2020194070.tif 000002
【特許請求の範囲】
【請求項１】
予約された楽曲のカラオケ演奏を行うカラオケ装置であって、
通常演奏モード及び所定のタイミングでカラオケ演奏を自動的に中止する短縮演奏モードを有する演奏処理部と、
歌唱者からの指示入力に基づきカラオケ演奏が途中で中止された場合、カラオケ演奏が中止されたことを示す演奏中止情報を記憶部に記憶させる情報処理部と、
複数の利用者による前記カラオケ装置の利用時に、所定数以上の楽曲がカラオケ演奏された後、新たな楽曲の予約があった場合に、記憶されている前記演奏中止情報が所定の条件を満たすかどうかを判定する判定部と、
前記演奏中止情報が所定の条件を満たす場合、短縮演奏モードに設定して前記新たな楽曲の予約を行う予約部と、
を有するカラオケ装置。
【請求項２】
前記演奏処理部は、前記所定のタイミングが異なる複数の短縮演奏モードを有し、
前記情報処理部は、前記演奏中止情報にカラオケ演奏が中止されたタイミングを含めて前記記憶部に記憶させ、
前記予約部は、前記記憶部に記憶されている前記演奏中止情報に基づいて、複数の短縮演奏モードから一の短縮演奏モードを決定し、当該一の短縮演奏モードに設定して前記新たな楽曲の予約を行うことを特徴とする請求項１記載のカラオケ装置。
【請求項３】
前記予約部は、前記演奏中止情報が所定の条件を満たす場合、且つ前記新たな楽曲の前に既に予約されており、未だカラオケ演奏されていない楽曲がある場合、当該既に予約されている楽曲についても前記短縮演奏モードに設定することを特徴とする請求項１または２記載のカラオケ装置。
【発明の詳細な説明】
【技術分野】
【０００１】
本発明は、カラオケ装置に関する。
【背景技術】
【０００２】
一台のカラオケ装置を複数の利用者で使用する場合、利用者の人数が多くなるほど、カラオケ歌唱を行うまでの待ち時間が長くなる傾向にある。このような場合、カラオケ演奏を途中で（たとえば１コーラスのカラオケ演奏が終了した時点で）中止し、楽曲毎の演奏時間を短縮することで、より多くの歌唱機会が得られるようにすることがある。
【０００３】
カラオケ演奏を途中で中止する場合、一般的には、カラオケ歌唱を行っている利用者（歌唱者）がカラオケ装置に付属するリモコン装置を操作し、演奏中止の指示を行う。この際、歌唱者は、カラオケ歌唱を行いながら演奏中止の指示を行わなければならず煩雑である。また、歌唱者によってはカラオケ歌唱に熱中してしまい、演奏中止の指示を忘れる可能性もある。
【０００４】
ここで、特許文献１には、歌う人が多い場合の待ち時間を短くする技術が開示されている。具体的には、所定曲数以上の楽曲が予約された場合、楽曲の演奏データを１コーラス、或いは２コーラスの演奏データとして加工し、楽曲毎の演奏時間を短縮する技術が開示されている。
【先行技術文献】
【特許文献】
【０００５】
【特許文献１】特開平４−３１３８００号公報
【発明の概要】
【発明が解決しようとする課題】
【０００６】
しかし、特許文献１の技術は、所定曲数以上の楽曲が予約されなければ演奏データの加工が行われない、すなわち演奏時間の短縮ができない。そのため、複数の利用者でカラオケ装置を利用する場合であっても、予約されている楽曲が少ない場合（たとえば、ある利用者がカラオケ歌唱を行っている最中に順次予約を行う場合）には、楽曲毎の演奏時間が短縮されることはない。一方、予約されている楽曲が多い場合であっても、利用者の多くが演奏時間の短縮を望まないこともありうる。このような場合、特許文献１の技術を用いることにより、利用者の意思に反して楽曲の演奏時間が短縮されてしまうため、利用者はカラオケ歌唱を楽しむことができない。
【０００７】
本発明の目的は、複数の利用者でカラオケ装置を利用する場合に、利用者全体の歌唱傾向に応じて楽曲の演奏時間の短縮を可能とするカラオケ装置を提供することにある。
【課題を解決するための手段】
【０００８】
上記目的を達成するための発明は、予約された楽曲のカラオケ演奏を行うカラオケ装置であって、通常演奏モード及び所定のタイミングでカラオケ演奏を自動的に中止する短縮演奏モードを有する演奏処理部と、歌唱者からの指示入力に基づきカラオケ演奏が途中で中止された場合、カラオケ演奏が中止されたことを示す演奏中止情報を記憶部に記憶させる情報処理部と、複数の利用者による前記カラオケ装置の利用時に、所定数以上の楽曲がカラオケ演奏された後、新たな楽曲の予約があった場合に、記憶されている前記演奏中止情報が所定の条件を満たすかどうかを判定する判定部と、前記演奏中止情報が所定の条件を満たす場合、短縮演奏モードに設定して前記新たな楽曲の予約を行う予約部と、を有するカラオケ装置である。
本発明の他の特徴については、後述する明細書及び図面の記載により明らかにする。
【発明の効果】
【０００９】
本発明によれば、複数の利用者でカラオケ装置を利用する場合に、利用者全体の歌唱傾向に応じて楽曲の演奏時間の短縮ができる。
【図面の簡単な説明】
【００１０】
【図１】カラオケ装置のハードウェア構成例を示す図である。
【図２】カラオケ本体のソフトウェア構成例を示す図である。
【図３】カラオケ装置の処理を示すフローチャートである。
【図４】変形例１における記憶部に記憶されている演奏中止情報の例を示す図である。
【発明を実施するための形態】
【００１１】
図１〜図３を参照して、本実施形態に係るカラオケ装置について説明する。
【００１２】
＝＝カラオケ装置＝＝
カラオケ装置１は、カラオケ演奏、及び歌唱者がカラオケ歌唱を行うための装置である。図１に示すように、カラオケ装置１は、カラオケ本体１０、スピーカ２０、表示装置３０、マイク４０、及びリモコン装置５０を備える。
【００１３】
スピーカ２０は各種音声を放音するための構成である。表示装置３０はカラオケ本体１０からの信号に基づいて映像や画像を画面に表示するための構成である。マイク４０は歌唱者の歌唱音声をアナログの信号に変換してカラオケ本体１０に入力するための構成である。リモコン装置５０は、カラオケ本体１０に対する各種操作をおこなうための装置である。利用者は、リモコン装置５０を用いてカラオケ歌唱を希望する楽曲の選曲等を行うことができる。リモコン装置５０の表示画面には各種操作の指示入力を行うためのアイコン等が表示される。
【００１４】
カラオケ本体１０は、選曲された楽曲のカラオケ演奏制御、歌詞や背景映像等の表示制御、マイク４０を通じて入力された信号の処理といった、カラオケ歌唱に関する各種の制御を行う。図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１５】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００１６】
通信部１２は、ルーター（図示なし）を介してカラオケ本体１０を通信回線に接続するためのインターフェースを提供する。
【００１７】
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００１８】
楽曲データは、個々の楽曲を特定するための楽曲ＩＤが付与されている。楽曲データは、伴奏データ、リファレンスデータ等を含む。伴奏データは、カラオケ演奏音の元となるデータである。リファレンスデータは、歌唱者によるカラオケ歌唱を採点するためのデータであり、採点時の基準として用いられるデータである。楽曲は、複数の演奏区間（前奏、１番のＡメロ、Ｂメロ、サビ、間奏、２番のＡメロ、・・・・後奏）により構成されている。伴奏データは、各演奏区間を区別するためのマーカや制御情報を含む。
【００１９】
また、記憶部１３は、各楽曲に対応する歌詞テロップをカラオケ演奏に合わせて表示装置３０等に表示させるための歌詞テロップデータ、カラオケ演奏時に表示装置３０等に表示される背景画像等の背景画像データ、及び楽曲の属性情報（歌手名、作詞・作曲者名、音楽ジャンル等の当該楽曲に関する情報）を記憶する。
【００２０】
音響処理部１４は、制御部１１の制御に基づき、楽曲に対するカラオケ演奏の制御およびマイク４０を通じて入力された歌唱音声に基づく信号の処理を行う。表示処理部１５は、制御部１１の制御に基づき、表示装置３０やリモコン装置５０における各種表示に関する処理を行う。たとえば、表示処理部１５は、楽曲のカラオケ演奏時における背景映像に歌詞テロップや各種アイコンが重ねられた映像を表示装置３０に表示させる制御を行う。或いは、表示処理部１５は、リモコン装置５０の表示画面に操作入力用の各種アイコンを表示させる。操作部１６は、パネルスイッチおよびリモコン受信回路などからなり、歌唱者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２１】
（ソフトウェア構成）
図２はカラオケ本体１０のソフトウェア構成例を示す図である。カラオケ本体１０は、演奏処理部１００、情報処理部２００、判定部３００、及び予約部４００を備える。演奏処理部１００、情報処理部２００、判定部３００、及び予約部４００は、ＣＰＵ１１ａがメモリ１１ｂに記憶されるプログラムを実行することにより実現される。
【００２２】
［演奏処理部］
演奏処理部１００は、予約された楽曲のカラオケ演奏を行う。具体的には、演奏処理部１００は、楽曲の伴奏データを記憶部１３から読み出し、音響処理部１４を制御することで、スピーカ２０からカラオケ演奏音を放音させる。
【００２３】
本実施形態における演奏処理部１００は、通常演奏モード及び短縮演奏モードを有する。
【００２４】
通常演奏モードは、伴奏データに基づいて前奏から後奏までカラオケ演奏を行うモードである。短縮演奏モードは、各楽曲のカラオケ演奏を行う際に、所定のタイミングでカラオケ演奏を自動的に中止するモードである。本実施形態における所定のタイミングは、「１コーラス（前奏、１番のＡメロ、Ｂメロ、サビまで）」のカラオケ演奏を終了したタイミングである。なお、所定のタイミングはこれに限られず、「２コーラス（前奏、１番のＡメロ、Ｂメロ、サビ、間奏、２番のＡメロ、Ｂメロ、サビまで）」のカラオケ演奏を終了したタイミングのように予め一のタイミングが設定されていればよい。
【００２５】
［情報処理部］
情報処理部２００は、歌唱者からの指示入力に基づきカラオケ演奏が途中で中止された場合、演奏中止情報を記憶部１３に記憶させる。
【００２６】
演奏中止情報は、カラオケ演奏が中止されたことを示す情報である。
【００２７】
記憶される演奏中止情報は、複数の利用者によるカラオケ装置１の１回の利用時に得られる情報である。たとえば、２０１９年５月２５日の１８：００−１９：００において、利用者Ｕ１〜利用者Ｕ５の５名でカラオケ装置１を利用するとする。この場合、記憶部１３には、当該日時において得られる演奏中止情報がまとめて記憶される。なお、当該日時が経過した場合、記憶部１３は、記憶した演奏中止情報を削除する。
【００２８】
カラオケ歌唱を行っている利用者（歌唱者）は、リモコン装置５０を操作し、カラオケ演奏を途中で中止させることができる。
【００２９】
上記例において、利用者Ｕ１が楽曲Ｘ１のカラオケ歌唱を行っている途中でカラオケ演奏を中止したとする。この場合、情報処理部２００は、楽曲Ｘ１のカラオケ演奏が途中で中止されたことを、演奏中止情報として記憶部１３に記憶させる。なお、予め短縮演奏モードに設定して予約された楽曲がそのまま短縮演奏モードでカラオケ演奏された場合も、演奏中止情報を記憶部１３に記憶させる。一方、楽曲の途中でカラオケ演奏が中止されなかった場合（楽曲の最後までカラオケ演奏が行われた場合）、演奏中止情報は存在しない。すなわち、記憶部１３に演奏中止情報が記憶されることもない。或いは、楽曲の歌唱区間の終了後にカラオケ演奏を中止した場合には、記憶部１３に演奏中止情報を記憶しないものとしてもよい。
【００３０】
［判定部］
判定部３００は、複数の利用者によるカラオケ装置１の利用時に、所定数以上の楽曲がカラオケ演奏された後、新たな楽曲の予約があった場合に、記憶されている演奏中止情報が所定の条件を満たすかどうかを判定する。
【００３１】
所定数は、「５曲」、「１０曲」のように予め一の値が設定されている。或いは、「利用者が５名以上１０名未満：５曲」、「利用者が１０名以上１５名未満：１０曲」のように、利用者の人数によって所定数が設定されてもよい。
【００３２】
所定の条件は、新たな楽曲の予約を短縮演奏モードに設定するかどうかを決定するための条件である。
【００３３】
具体的に、所定の条件は、たとえばカラオケ演奏の中止が一定回数以上（たとえば、３回以上）連続して続いたかどうか、一定曲数の楽曲のカラオケ演奏が終了した時点で、カラオケ演奏が途中で中止された楽曲の割合が一定割合以上（たとえば、８割以上）であるかどうか、といった条件である。或いは、所定の条件として「カラオケ演奏の中止が一定回数以上連続し、且つカラオケ演奏が途中で中止された楽曲の割合が所定割合以上である」のように複数の条件を含んでいてもよい。
【００３４】
判定部３００は、所定数以上の楽曲がカラオケ演奏された後、新たな楽曲の予約があった場合に判定を行う。
【００３５】
たとえば、上記例において、利用者Ｕ１〜利用者Ｕ５により、既に５曲（楽曲Ｘ１〜楽曲Ｘ５）のカラオケ演奏が終了しているとする。また、所定数が「５曲」と設定され、所定の条件が「カラオケ演奏の中止が３回以上連続し、且つカラオケ演奏が途中で中止された楽曲の割合が８割以上」と設定されているとする。
【００３６】
ここで、利用者Ｕ１がリモコン装置５０を操作し新たな楽曲Ｘ６を選曲した場合、予約部４００は楽曲Ｘ６の予約を行う（予約処理の詳細は後述）。
【００３７】
この際、判定部３００は、所定数以上の楽曲がカラオケ演奏されているかどうかを判定する。上述の通り、所定数は「５曲」であり、既に楽曲Ｘ１〜楽曲Ｘ５の５曲のカラオケ演奏が終了している。よって、判定部３００は、記憶部１３に記憶されている演奏中止情報が所定の条件を満たすかどうかを判定する。
【００３８】
ここで、記憶部１３には、楽曲Ｘ１、楽曲Ｘ３、楽曲Ｘ４、及び楽曲Ｘ５の演奏中止情報が記憶されていたとする。なお、楽曲Ｘ２は、カラオケ演奏の中止がなされなかったため、演奏中止情報が存在しない。
【００３９】
この例によれば、カラオケ演奏の中止が３回連続し、且つ５曲のカラオケ演奏が終了した時点で、カラオケ演奏が途中で中止された楽曲の割合が８割となっている。よって、判定部３００は、新たな楽曲Ｘ６の予約があった時点において、記憶されている演奏中止情報が所定の条件を満たすと判定する。
【００４０】
［予約部］
予約部４００は、利用者がリモコン装置５０を操作して選曲した楽曲を予約待ち行列に登録することで楽曲の予約を行う。また、予約部４００は、予約を行う際に、楽曲毎に通常演奏モードまたは短縮演奏モードのいずれかを設定する。
【００４１】
たとえば、ある利用者がリモコン装置５０を操作し、ある楽曲を選曲したとする。この場合、予約部４００は、ある楽曲の楽曲ＩＤを予約待ち行列に登録することで楽曲Ｘ１の予約を行う。この際、ある利用者はリモコン装置５０を操作し、通常演奏モードに設定して楽曲Ｘ１の予約を行う。なお、本実施形態のリモコン装置５０は、ディフォルトで通常演奏モードに設定した状態で設定画面の表示を行うものとする。
【００４２】
更に本実施形態において、予約部４００は、演奏中止情報が所定の条件を満たす場合、短縮演奏モードに設定して新たな楽曲の予約を行う。
【００４３】
たとえば、上記例の通り、判定部３００が、新たな楽曲Ｘ６の予約があった時点において、記憶されている演奏中止情報が所定の条件を満たすと判定したとする。この場合、予約部４００は、短縮演奏モードに設定して楽曲Ｘ６の予約を行う。その後、楽曲Ｘ６のカラオケ演奏を行う際に、演奏処理部１００は、楽曲Ｘ６のカラオケ演奏を１コーラスだけ行う。
【００４４】
一方、記憶されている演奏中止情報が所定の条件を満たさないと判定された場合、予約部４００は、短縮演奏モードではなく、通常演奏モードの設定のまま新たな楽曲の予約を行う。
【００４５】
＝＝カラオケ装置における処理について＝＝
次に、図３を参照して本実施形態に係るカラオケ装置１における処理の具体例について述べる。図３は、カラオケ装置１における処理例を示すフローチャートである。ここでは、ある日時において、複数の利用者がカラオケ装置１を利用している例について述べる。
【００４６】
演奏処理部１００は、予約待ち行列に登録されている順に楽曲データを読み出し、カラオケ演奏を行う（予約されている楽曲のカラオケ演奏。ステップ１０）。
【００４７】
情報処理部２００は、歌唱者からの指示入力に基づきカラオケ演奏が途中で中止された場合（ステップ１１でＹの場合）、カラオケ演奏が中止されたことを示す演奏中止情報を記憶部１３に記憶させる（演奏中止情報の記憶。ステップ１２）。
【００４８】
ここで、所定数以上の楽曲がカラオケ演奏された後（ステップ１３でＹの場合）、新たな楽曲の予約があったとする（新たな楽曲の予約。ステップ１４）。この場合、判定部３００は、記憶部１３に記憶されている演奏中止情報が所定の条件を満たすかどうかを判定する。
【００４９】
演奏中止情報が所定の条件を満たす場合（ステップ１５でＹの場合）、予約部４００は、所定のタイミングでカラオケ演奏を自動的に中止する短縮演奏モードに設定して新たな楽曲の予約を行う（短縮演奏モードに設定して予約。ステップ１６）。一方、演奏中止情報が所定の条件を満たさない場合（ステップ１５でＮの場合）、予約部４００は、通常演奏モードに設定して新たな楽曲の予約を行う（通常演奏モードに設定して予約。ステップ１７）。
【００５０】
以上から明らかなように、本実施形態に係るカラオケ装置１は、予約された楽曲のカラオケ演奏を行う。カラオケ装置１は、通常演奏モード及び所定のタイミングでカラオケ演奏を自動的に中止する短縮演奏モードを有する演奏処理部１００と、歌唱者からの指示入力に基づきカラオケ演奏が途中で中止された場合、カラオケ演奏が中止されたことを示す演奏中止情報を記憶部１３に記憶させる情報処理部２００と、複数の利用者によるカラオケ装置１の利用時に、所定数以上の楽曲がカラオケ演奏された後、新たな楽曲の予約があった場合に、記憶されている演奏中止情報が所定の条件を満たすかどうかを判定する判定部３００と、演奏中止情報が所定の条件を満たす場合、短縮演奏モードに設定して新たな楽曲の予約を行う予約部４００と、を有する。
【００５１】
このようなカラオケ装置１によれば、あるカラオケ歌唱の場においてカラオケ演奏を途中で中止する傾向にある場合、新たに予約される楽曲については、短縮演奏モードに設定して予約を行うことができる。カラオケ演奏を途中で中止する傾向にある場合、カラオケ歌唱の場にいる利用者の多くが、楽曲の演奏時間を短縮することで、多くの歌唱機会を得たいと考えているといえる。そこで、演奏中止情報が所定の条件を満たす場合には、新たな楽曲の予約を短縮演奏モードに設定して行うことにより、カラオケ歌唱の場にいる利用者の意思に沿ったカラオケ演奏が可能となる。また、予約部４００により短縮演奏モードが自動的に設定されるため、歌唱者はカラオケ歌唱の最中に演奏中止の指示を行う必要が無い。すなわち、本実施形態に係るカラオケ装置１によれば、複数の利用者でカラオケ装置を利用する場合に、利用者全体の歌唱傾向に応じて楽曲の演奏時間の短縮ができる。
【００５２】
＜変形例１＞
なお、演奏処理部１００は、所定のタイミングが異なる複数の短縮演奏モードを有し、情報処理部２００は、演奏中止情報にカラオケ演奏が中止されたタイミングを含めて記憶部１３に記憶させ、予約部４００は、記憶部１３に記憶されている演奏中止情報に基づいて、複数の短縮演奏モードから一の短縮演奏モードを決定し、当該一の短縮演奏モードに設定して新たな楽曲の予約を行ってもよい。
【００５３】
たとえば、演奏処理部１００は、短縮演奏モードとして、「１コーラス（前奏、１番のＡメロ、Ｂメロ、サビまで）」でカラオケ演奏を中止する「短縮演奏モード（１）」、及び「２コーラス（前奏、１番のＡメロ、Ｂメロ、サビ、間奏、２番のＡメロ、Ｂメロ、サビまで）」でカラオケ演奏を中止する「短縮演奏モード（２）」の２つを有する。
【００５４】
本変形例において、演奏中止情報は、カラオケ演奏が中止されたタイミングを含む。中止されたタイミングは、演奏区間により特定することができる。たとえば、ある楽曲の１番と２番の間奏でカラオケ演奏の中止がなされたとする。この場合、中止されたタイミングは「１番と２番の間奏」となる。
【００５５】
たとえば、上記実施形態において、利用者Ｕ１が楽曲Ｘ１のカラオケ歌唱を行っている途中、１番のサビのカラオケ演奏が終了した後、間奏の間にカラオケ演奏を中止したとする。この場合、情報処理部２００は、中止されたタイミングを「１番と２番の間奏」として特定し、演奏中止情報に含めて記憶部１３に記憶させる。
【００５６】
ここで、記憶部１３には、図４に示すような演奏中止情報が記憶されていたとする。具体的に、図４はカラオケ演奏が行われた順番に、楽曲名及びカラオケ演奏が中止されたタイミングを示している。なお、楽曲Ｘ２は、カラオケ演奏の中止がなされなかったため、演奏中止情報が存在しない。
【００５７】
この場合、予約部４００は、記憶部１３に記憶されている演奏中止情報に基づいて、複数の短縮演奏モードのいずれかに設定して新たな楽曲の予約を行う。
【００５８】
図４の例において、カラオケ演奏が中止されたタイミングは、楽曲Ｘ１が「後奏」であり、楽曲Ｘ３〜楽曲Ｘ５が「１番と２番の間奏」である。
【００５９】
新たな楽曲の予約があった場合、予約部４００は、演奏中止情報として最も多い「１番と２番の間奏」に基づいて、短縮演奏モード（１）及び短縮演奏モード（２）から、短縮演奏モード（１）を決定し、短縮演奏モード（１）に設定して新たな楽曲の予約を行う。演奏中止情報（カラオケ演奏が中止されたタイミング）が「１番と２番の間奏」の場合、利用者の多くは１番のサビまでカラオケ歌唱を行っていると考えられる。よって、予約部４００は、１番のサビまでカラオケ歌唱を行うことができる「短縮演奏モード（１）」に設定して予約を行う。或いは、予約部４００は、最も多い演奏中止情報の代わりに、直近の演奏中止情報に基づいて短縮演奏モードを設定して予約を行ってもよい。
【００６０】
このように、予約部４００は、記憶部１３に記憶されている演奏中止情報に基づいて、複数の短縮演奏モードから一の短縮演奏モードを決定し、当該一の短縮演奏モードに設定して新たな楽曲の予約を行うことができる。このような構成により、利用者の歌唱傾向に応じてカラオケ演奏を自動的に中止するタイミングの異なる複数の短縮演奏モードのいずれかに設定して新たな楽曲の予約を行うことができる。
【００６１】
＜変形例２＞
たとえば、既に５曲（楽曲Ｙ１〜楽曲Ｙ５）のカラオケ演奏が終了しており、且つ予約待ち行列に２曲（楽曲Ｙ６、楽曲Ｙ７）が登録されている状態において、新たな楽曲Ｙ８の予約があったとする。また、カラオケ装置１において上記実施形態で述べた処理を行った結果、予約部４００は、楽曲Ｙ８について短縮演奏モードに設定して予約を行うとする。この場合、利用者の多くが短縮演奏モードでのカラオケ演奏を望んでいると考えられるため、現在予約待ち行列に登録されている楽曲（未だカラオケ演奏されていない楽曲）についても短縮演奏モードでカラオケ演奏を行うことが好ましい。
【００６２】
そこで、予約部４００は、演奏中止情報が所定の条件を満たす場合、且つ新たな楽曲の前に既に予約されており、未だカラオケ演奏されていない楽曲がある場合、当該既に予約されている楽曲についても短縮演奏モードに設定することが可能である。上記例の場合、予約部４００は、楽曲Ｙ６及び楽曲Ｙ７の予約についても短縮演奏モードに設定する。
【００６３】
＜その他＞
上記実施形態においては、各利用者がリモコン装置５０を用いてカラオケ装置１に対する指示入力を行う例について説明した。一方、各利用者が所有するスマートフォンのような携帯端末を用いてカラオケ装置１に対する指示入力を行ってもよい。この場合、携帯端末には、予め専用のアプリケーションソフトウェア（デンモクアプリ）をインストールしておく。利用者は、携帯端末を操作してデンモクアプリを起動し、カラオケ装置１とペアリングさせることで、カラオケ装置１に対する各種指示入力が可能となる。
【００６４】
上記実施形態において、予約部４００が短縮演奏モードに設定して新たな楽曲の予約を行ったとしても、利用者は当該楽曲のカラオケ演奏開始前であれば、リモコン装置５０を用いて通常演奏モードに設定し直すことができる。この場合、記憶部１３は演奏中止情報を記憶しない。そして、判定部３００は、新たな楽曲の予約の度に、記憶されている演奏中止情報が所定の条件を満たすかどうかを判定する。すなわち、演奏中止情報が所定の条件を一旦満たした後も、その時々の利用者全体の歌唱傾向に応じた演奏モードでカラオケ演奏を行うことが可能である。
【００６５】
一方、利用者によっては、たとえばカラオケ装置１の利用時間が少なくなってきた場合に、短縮演奏モードでカラオケ演奏されているにも関わらず、更に早いタイミングでカラオケ演奏の中止を指示することもあり得る。このような場合であっても上記実施形態と同様の処理を実行することにより、カラオケ装置１は、現在の短縮演奏モードよりも更に早いタイミングでカラオケ演奏を自動的に中止する他の短縮演奏モードに設定して新たな楽曲の予約を行うことができる。たとえば、前回の楽曲の予約で上述の「短縮演奏モード（２）」を設定した場合であっても、新たな楽曲の予約では、直近の演奏中止情報に基づいて自動的に「短縮演奏モード（１）」に設定することができる。
【００６６】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６７】
１  カラオケ装置
１０  カラオケ本体
１１  制御部
１００  演奏処理部
２００  情報処理部
３００  判定部
４００  予約部
【図１】
2020194070.tif 000003
【図２】
2020194070.tif 000004
【図３】
2020194070.tif 000005
【図４】
2020194070.tif 000006